(57)【要約】【課題】特に広角側の焦点距離における周辺画像のコマ収差を軽減させ、結像性能をより向上させた撮像光学系及びレンズ鏡胴を得て、良好な画像の得られる撮像装置を得る。【解決手段】撮像光学系が広角の状態のとき、撮像光学系光軸上の画像を形成する光束のうち最も外側の光線と、撮像光学系の最大像高位置の画像を形成する光束のうち最も外側の光線とが交差する位置のうち、Ｆナンバを規定する絞りに近い方の交差位置に、絞り部材を位置させた撮像光学系及びレンズ鏡胴とする。【選択図】図２
2007233130.tif 000002
【特許請求の範囲】
【請求項１】
複数のレンズ群で構成され、前記複数のレンズ群のうち少なくとも２つのレンズ群を移動させ変倍するよう構成された撮像光学系において、
移動するレンズ群の間に、開口部の形成された絞り部材が配置され、
少なくとも前記撮像光学系が広角側の状態のとき、前記撮像光学系の光軸上の画像を形成する光束のうち最も外側の光線と、前記撮像光学系の最大像高位置の画像を形成する光束のうち最も外側の光線とが交差する位置のうち、Ｆナンバを規定する絞りに近い方の交差位置に、前記絞り部材を位置させたことを特徴とする撮像光学系。
【請求項２】
前記絞り部材の開口部の形状は、前記撮像光学系の光軸上の画像を形成する光束のうち最も外側の光線と、前記撮像光学系の最大像高位置の画像を形成する光束のうち最も外側の光線とが交差する位置のうち、Ｆナンバを規定する絞りに近い方の交差位置の光軸直交方向の高さに基づいて形成されていることを特徴とする請求項１に記載の撮像光学系。
【請求項３】
複数のレンズ群で構成され、前記複数のレンズ群のうち少なくとも２つのレンズ群を移動させ変倍するよう構成された撮像光学系と、レンズ群の間を移動可能であって開口部の形成された絞り部材と、前記撮像光学系による被写体光を光電変換する撮像素子と、を有し、
少なくとも前記撮像光学系が広角側の状態のとき、前記撮像素子の撮像面中央部の画像を形成する光束のうち最も外側の光線と、前記撮像素子の撮像面の最も像高の高い位置の画像を形成する光束のうち最も外側の光線とが交差する位置のうち、Ｆナンバを規定する絞りに近い方の交差位置に、前記絞り部材を移動させることを特徴とするレンズ鏡胴。
【請求項４】
前記絞り部材の開口部の形状は、前記撮像素子の撮像面中央部の画像を形成する光束のうち最も外側の光線と、前記撮像素子の撮像面の最も像高の高い位置の画像を形成する光束のうち最も外側の光線とが交差する位置のうち、Ｆナンバを規定する絞りに近い方の交差位置の光軸直交方向の高さに基づいて形成されていることを特徴とする請求項３に記載のレンズ鏡胴。
【請求項５】
前記撮像光学系のうち変倍により移動する少なくとも２つのレンズ群と前記絞り部材とはカム筒に係合して移動させられることを特徴とする請求項３又は４に記載のレンズ鏡胴。
【請求項６】
前記絞り部材は、変倍により移動する１つのレンズ群と係合して移動させられることを特徴とする請求項３又は４に記載のレンズ鏡胴。
【請求項７】
前記レンズ鏡胴が沈胴可能に構成されていることを特徴とする請求項３〜６のいずれか１項に記載のレンズ鏡胴。
【請求項８】
請求項３〜７のいずれか１項に記載のレンズ鏡胴を備えたことを特徴とする撮像装置。
【発明の詳細な説明】
【技術分野】
【０００１】
本発明は、変倍可能に構成された撮像光学系及びこの撮像光学系に用いられるレンズ鏡胴及び該レンズ鏡胴を備えた撮像装置に関するものである。
【背景技術】
【０００２】
従来より、レンズ群の間隔を変更可能に構成し、焦点距離を変更できるようにした、所謂ズームレンズが知られている。
【０００３】
このようなズームレンズにおいて、中間焦点距離及び望遠側で撮影画像に悪影響を与える、結像に寄与しない光線（不要光）をカットするために、鏡胴内に開口径可変の絞り部材（フレアカッター装置）を備え、フォーカスレンズ群と連動して移動させつつ開口径を変化させるものが知られている（例えば、特許文献１参照）。
【特許文献１】特開２０００−８１５５６号公報
【発明の開示】
【発明が解決しようとする課題】
【０００４】
しかしながら、上記特許文献１に記載されているフレアカッター装置及び、従来の不要光をカットするための絞り装置は、不要光が結像面以外で反射し、この反射光が結像された画像のコントラスト等に影響を与えるのを防止するためのものであり、撮像光学系の結像性能そのものを向上させるものではなかった。
【０００５】
本発明は、特に広角側の焦点距離における周辺画像のコマ収差を軽減させ、結像性能をより向上させた撮像光学系及びレンズ鏡胴を得て、良好な画像の得られる撮像装置を得ることを目的とするものである。
【課題を解決するための手段】
【０００６】
上記の目的は、下記に記載する発明により達成される。
【０００７】
１．複数のレンズ群で構成され、前記複数のレンズ群のうち少なくとも２つのレンズ群を移動させ変倍するよう構成された撮像光学系において、移動するレンズ群の間に、開口部の形成された絞り部材が配置され、少なくとも前記撮像光学系が広角側の状態のとき、前記撮像光学系の光軸上の画像を形成する光束のうち最も外側の光線と、前記撮像光学系の最大像高位置の画像を形成する光束のうち最も外側の光線とが交差する位置のうち、Ｆナンバを規定する絞りに近い方の交差位置に、前記絞り部材を位置させたことを特徴とする撮像光学系。
【０００８】
２．前記絞り部材の開口部の形状は、前記撮像光学系の光軸上の画像を形成する光束のうち最も外側の光線と、前記撮像光学系の最大像高位置の画像を形成する光束のうち最も外側の光線とが交差する位置のうち、Ｆナンバを規定する絞りに近い方の交差位置の光軸直交方向の高さに基づいて形成されていることを特徴とする１に記載の撮像光学系。
【０００９】
３．複数のレンズ群で構成され、前記複数のレンズ群のうち少なくとも２つのレンズ群を移動させ変倍するよう構成された撮像光学系と、レンズ群の間を移動可能であって開口部の形成された絞り部材と、前記撮像光学系による被写体光を光電変換する撮像素子と、を有し、少なくとも前記撮像光学系が広角側の状態のとき、前記撮像素子の撮像面中央部の画像を形成する光束のうち最も外側の光線と、前記撮像素子の撮像面の最も像高の高い位置の画像を形成する光束のうち最も外側の光線とが交差する位置のうち、Ｆナンバを規定する絞りに近い方の交差位置に、前記絞り部材を移動させることを特徴とするレンズ鏡胴。
【００１０】
４．前記絞り部材の開口部の形状は、前記撮像素子の撮像面の中央部の画像を形成する光束のうち最も外側の光線と、前記撮像素子の撮像面の最も像高の高い位置の画像を形成する光束のうち最も外側の光線とが交差する位置のうち、Ｆナンバを規定する絞りに近い方の交差位置の光軸直交方向の高さに基づいて形成されていることを特徴とする３に記載のレンズ鏡胴。
【００１１】
５．前記撮像光学系のうち変倍により移動する少なくとも２つのレンズ群と前記絞り部材とはカム筒に係合して移動させられることを特徴とする３又は４に記載のレンズ鏡胴。
【００１２】
６．前記絞り部材は、変倍により移動する１つのレンズ群と係合して移動させられることを特徴とする３又は４に記載のレンズ鏡胴。
【００１３】
７．前記レンズ鏡胴が沈胴可能に構成されていることを特徴とする３〜６のいずれかに記載のレンズ鏡胴。
【００１４】
８．３〜７のいずれかに記載のレンズ鏡胴を備えたことを特徴とする撮像装置。
【発明の効果】
【００１５】
本発明によれば、像高１００％位置での光量の低下をさせることなく、広角側の焦点距離における周辺画像のコマ収差を軽減させ、周辺部の結像性能をより向上させることができる撮像光学系及びレンズ鏡胴を得ることが可能となる、更に、このレンズ鏡胴を備えることにより、良好な画像の得られる撮像装置を得ることが可能となる。
【発明を実施するための最良の形態】
【００１６】
以下、実施の形態により本発明を詳しく説明するが、本発明はこれに限定されるものではない。
【００１７】
図１は、本発明に係るレンズ鏡胴８０を搭載した撮像装置の例であるカメラを示す外観図である。図１（ａ）はカメラ前面の斜視図、図１（ｂ）はカメラ背面の斜視図である。
【００１８】
図１（ａ）において、８０は本発明に係る沈胴式のレンズ鏡胴である。８２はファインダ窓、８３はレリーズ釦、８４はフラッシュ発光部、８６はマイク、８７はストラップ取り付け部、８８はＵＳＢ端子である。８９はレンズカバーであり、非撮影時はレンズ鏡胴８０は沈胴する。
【００１９】
図１（ｂ）において、９１はファインダ接眼部、９２は赤と緑の表示ランプであり、ＡＦやＡＥの情報をレリーズ釦８３が押圧された時、発光もしくは点滅により撮影者に表示するものである。９３はズーム釦であり、ズームアップ、ズームダウンをおこなう釦である。９４はスピーカであり、マイク８６で録音した音声の再生や、レリーズ音等を発するものである。９５はメニュー／セット釦、９６は選択釦で４方向スイッチであり、１００はモニターＬＣＤで画像やその他文字情報等を表示する。メニュー／セット釦９５で、モニターＬＣＤ１００上に各種のメニューを表示させ、選択釦９６で選択し、メニュー／セット釦９５で確定させる機能を有している。９７は再生釦で、撮影した画像の再生をおこなう釦である。９８はディスプレイ釦で、モニターＬＣＤ１００に表示された画像やその他文字情報の表示や消去を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード型のリムーバブルメモリが装填されるようになっている。
【００２０】
まず、本発明に係るレンズ鏡胴８０の概略構成及び動作について説明する。
【００２１】
図２は、本実施の形態に係るレンズ鏡胴８０の広角端時の状態の概略縦断面図である。
【００２２】
同図において、１は第１レンズ群、２は第２レンズ群、３は第３レンズ群であり、本例におけるレンズ鏡胴８０に内包された撮像光学系は３群構成である。そして、ズーミングを行うときは第１レンズ群１及び第２レンズ群２を光軸方向に移動させ、第３レンズ群３を光軸方向に移動させてフォーカシングを行うようになっている。また、４は光学フィルタであり、偽色やモアレを防止するため、被写体光の高周波成分を除去するＯＬＰＦ（オプチカルローパスフィルタ）や赤外光カットフィルタで構成されている。５は結像した被写体光を光電変換する撮像素子であり、例えばＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサが用いられる。
【００２３】
第１レンズ群１は第１レンズ群鏡枠６によって保持され、第２レンズ群２は第２レンズ群鏡枠７によって保持され、第３レンズ群３は第３レンズ群鏡枠８によって保持されている。
【００２４】
１１は固定胴であり、図示していないカメラ本体に一体的に固定されており、内周にカム溝１１ａを有している。固定胴１１の後部には地板１２が固着されている。そして、地板１２には光学フィルタ４、撮像素子５が装着されている。撮像素子５はプリント基板１３に電気的に接続されている。
【００２５】
１４はカム筒であり、外周には固定胴１１のカム溝１１ａと係合するカムピン１４ａが形成され、且つ後部の一部には部分歯車１４ｂが形成されている。内周にはカム溝が形成されている。
【００２６】
１５は前筒であり、第１レンズ群鏡枠６を保持している。前筒１５の外周には３本の金属製のカムピン１６が立設されていて、カム筒１４のカム溝と係合している。
【００２７】
なお、図示していないが、第２レンズ群鏡枠７にもカムピンが立設されていて、カム筒１４の前筒の係合するカム溝とは異なるカム溝に係合している。
【００２８】
２０は、本発明に係る絞り部材であり、開口部２０ｋが形成され、第１レンズ群１と第２レンズ群２の間に配置されている。絞り部材２０にも、カムピンが立設されていて、カム筒１４の前筒１５、第２レンズ群鏡枠７と係合するカム溝と異なるカム溝に係合している。
【００２９】
カム筒１４には、直進移動部材１７と直進案内板１８とが回転可能でかつカム筒１４の光軸方向への移動に伴って移動できるように組み付けられている。直進案内板１８は、図示の如く固定胴１１に形成された直進案内部１１ｍと係合しており、更に、部分歯車１４ｂと歯合した駆動歯車２１が軸支されている。駆動歯車２１は、長歯車２２と歯合している。長歯車２２は不図示のモータ及び減速歯車列により駆動されるようになっている。
【００３０】
直進案内板１８は、図示の如く、カム筒１４の撮像素子５側の環状の面に当接して摺動し、直進移動部材１７は、カム筒１４の内側の面を摺動するようになっている。また、直進移動部材１７には、前筒１５と絞り部材２０と第２レンズ群鏡枠７に係合し、前筒１５と絞り部材２０と第２レンズ群鏡枠７を直進案内する直進案内部１７ｔが形成されている。
【００３１】
３３は絞りシャッタユニットであり、第２レンズ群鏡枠７に固着されている。絞りシャッタユニットには、Ｆナンバを規定する絞りが配置されている。
【００３２】
なお、直進案内部１７ｔで前筒１５を直進案内し、直進する前筒１５と第２レンズ群枠７を係合させて第２レンズ群枠７を直進案内するよう構成してもよい。
【００３３】
４１はフォーカスモータであり、送りネジ４２が接続されている。送りネジ４２には回転規制されたナット４３が螺合しており、第３レンズ群鏡枠８の腕部がバネ４４によりナット４３に押圧されている。これにより、フォーカスモータ４１により送りネジ４２が回転すると、ナット４３が光軸Ｏ方向に移動し、これに伴い第３レンズ群鏡枠８が光軸Ｏ方向に移動させられ、フォーカシング及び沈胴時の移動が行われる。
【００３４】
図３は、本実施の形態に係るレンズ鏡胴８０の望遠端時の状態の概略縦断面図である。図４は、本実施の形態に係るレンズ鏡胴８０の沈胴時の状態の概略縦断面図である。なお、以下の図においては、説明の重複を避けるため、同機能部材には同符号を付与して説明する。
【００３５】
図２に示す広角端状態から図３に示す望遠端状態へは、不図示のモータを所定の方向に回転駆動させると、長歯車２２、駆動歯車２１によりカム筒１４が回転させられる。これにより、カム筒１４の内周に形成されたそれぞれ異なる３種のカム溝に係合した前筒１５、絞り部材２０及び第２レンズ群鏡枠７は、直進案内部１７ｔにより直進案内されて、光軸Ｏ方向に移動し、ズーミングが行われる。
【００３６】
一方、図２に示す広角端状態から図４に示す沈胴状態へは、まずフォーカスモータ４１を駆動して第３レンズ群鏡枠８を撮像素子５側に移動させた後、不図示のモータを逆方向に回転駆動させ、長歯車２２、駆動歯車２１によりカム筒１４を逆回転させる。これによりカム筒１４は固定胴１１に形成されたカム溝１１ａに案内されて撮像素子５側に移動し、カム筒１４の内周に形成された異なる３種のカム溝に係合した前筒１５、絞り部材２０及び第２レンズ群鏡枠７は、直進案内部１７ｔにより直進案内されて、撮像素子５方向に移動し、図示のような沈胴状態となる。このとき、直進移動部材１７と直進案内板１８とは、カム筒１４に伴って直進移動する。
【００３７】
以上が、本実施の形態に係るレンズ鏡胴８０の全体の概略構成及び動作概略である。
【００３８】
図５は、本実施の形態に係る撮像光学系の広角端時の絞り部材２０の開口部２０ｋの位置及び開口径を示す断面図である。
【００３９】
同図の２つの実線Ａは第１レンズ群１と第２レンズ群２の間の、撮像光学系光軸Ｏ上の画像を形成する光束のうち最も外側の光線を示し、２つの実線Ｂは撮像素子の対角方向の最も像高の高い位置（像高１００％の位置）の画像を形成する光束のうち最も外側の光線を示している。また、破線は撮像素子の像高７０％の位置の画像を形成する光束のうち最も外側の光線を示している。
【００４０】
同図に示すように、絞り部材２０は、第１レンズ群１と第２レンズ群２の間で、実線Ａと実線Ｂの交差する２つの位置のうち、Ｆナンバを規定する絞り３４に近い方の交差位置もしくはその近傍に位置させられる。
【００４１】
更に、絞り部材２０の開口部２０ｋの径は図示の如く、撮像素子中央部の画像を形成する光束（実線Ａ）及び撮像素子の最も像高の高い位置（像高１００％の位置）の画像を形成する光束（実線Ｂ）の交差する２つの点のうち、Ｆナンバを規定する絞り３４に近い方の交差する点で決められていることが好ましい。
【００４２】
図６は、図２〜図４に示したレンズ鏡胴８０の第１レンズ群１、第２レンズ群２、第３レンズ群３及び絞り部材２０の各状態での位置関係を示す移動線図である。
【００４３】
同図に示すように、絞り部材２０は広角端において、第１レンズ群１と第２レンズ群２の間で、実線Ａと実線Ｂの交差する２つの位置のうち、像面側の交差位置もしくはその近傍に位置（図５参照）させられ、広角端から望遠端へはカム筒内周に形成されたカム溝に従って移動する。
【００４４】
図７は、本実施の形態に係るレンズ鏡胴８０のその他の例の広角端時の状態の概略縦断面図である。同図に示すレンズ鏡胴は、図２に示すレンズ鏡胴とは、絞り部材２０の移動のさせ方が異なるものである。
【００４５】
同図に示す絞り部材２０は、直進移動部材１７との間で摩擦力で保持されている。また図示の如く、絞り部材２０には係合部２０ｈが形成され、第２レンズ群鏡枠７には係合部７ｈが形成され、絞り部材２０と第２レンズ群鏡枠７は、当接するまで接近することが可能で、所定の間隔以上は離間することができないようになっている。
【００４６】
このような構成で、広角端時には、第２レンズ群鏡枠７と絞り部材２０が最も離間した状態で、絞り部材２０が撮像素子中心部の画像を形成する光束と撮像素子の最も像高の高い位置（像高１００％の位置）の画像を形成する光束の交差する２つの位置のうち、像面側の交差する位置もしくはその近傍に位置させられるようになっている。
【００４７】
この広角端の状態から望遠端への第１レンズ群１及び第２レンズ群２の移動に際しては、第２レンズ群２即ち第２レンズ群鏡枠７は、第１レンズ群１の方向に移動させられ、絞り部材２０と当接した後、第２レンズ群鏡枠７と絞り部材２０は共に移動するようになっている。一方、第１レンズ群１は第２レンズ群２に接近する方向に移動し、図３に示すような望遠端の状態となる。
【００４８】
図８は、図７に示したレンズ鏡胴８０の第１レンズ群１、第２レンズ群２、第３レンズ群３及び絞り部材２０の各状態での位置関係を示す移動線図である。
【００４９】
同図に示すように、絞り部材２０は広角端において、第１レンズ群１と第２レンズ群２の間で、実線Ａと実線Ｂの交差する２つの位置のうち、像面側の交差位置もしくはその近傍に位置（図５参照）させられる。
【００５０】
絞り部材２０の広角端から望遠端への移動は、図示Ｄ1、Ｄ2の経路をたどり、望遠端から広角端への移動は、図示Ｄ3、Ｄ4の経路をたどる。また中間焦点距離からの反転移動ではＤ1、Ｄ2、Ｄ3、Ｄ4で囲まれた矩形内を図示横方向に移動することになる。
【００５１】
このように、絞り部材２０を変倍により移動する一方のレンズ群である第２レンズ群２と係合させて移動するように構成してもよい。
【００５２】
図９は、本実施の形態に係る撮像光学系の別の例の広角端時の絞り部材２０の開口部２０ｋの位置及び開口径を示す断面図である。
【００５３】
同図は、物体側より正のパワーを有する第１レンズ群５１、負のパワーを有する第２レンズ群５２で構成された撮像光学系を示している。また、第１レンズ群５１の像面側には、Ｆナンバを規定する絞り３４が配置されている。
【００５４】
２つの実線Ａは第１レンズ群５１と第２レンズ群５２の間の、撮像光学系光軸Ｏ上の画像を形成する光束のうち最も外側の光線を示し、２つの実線Ｂは対角方向の最も像高の高い位置（像高１００％の位置）の画像を形成する光束のうち最も外側の光線を示している。
【００５５】
同図に示すような光学系の場合には、絞り部材２０は第１レンズ群５１と第２レンズ群５２の間で、実線Ａと実線Ｂの交差する２つの位置のうち、Ｆナンバを規定する絞り３４に近い方の交差位置もしくはその近傍に位置させられる。
【００５６】
更に、絞り部材２０の開口部２０ｋの径は図示の如く、光軸Ｏ上の画像を形成する光束（実線Ａ）及び最も像高の高い位置（像高１００％の位置）の画像を形成する光束（実線Ｂ）の交差する２つの点のうち、Ｆナンバを規定する絞り３４に近い方の交差する点で決められている。
【００５７】
なお、この撮像光学系は第１レンズ群５１と第２レンズ群５２が共に、物体側へ移動しつつ間隔を接近させることで望遠側の焦点距離となるものである。
【００５８】
即ち、図５及び図９に示したように、広角時、変倍のために移動するレンズ群の間に配置された絞り部材２０を、撮像光学系光軸上の画像を形成する光束のうち最も外側の光線と、撮像光学系の最大像高位置の画像を形成する光束のうち最も外側の光線とが交差する位置のうち、Ｆナンバを規定する絞りに近い方の交差位置に、位置させるということである。
【実施例】
【００５９】
以下に、上記の実施の形態に適用される撮像光学系及び本発明の絞り部材の位置の実施例を示す。各実施例に使用する記号は下記のとおりである。
【００６０】
ｆ  ：撮像レンズ全系の焦点距離
Ｆ  ：Ｆナンバー
２Ｙ：固体撮像素子の撮像面対角線長
Ｒ  ：曲率半径
Ｄ  ：軸上面間隔
Ｎｄ：レンズ材料のｄ線に対する屈折率
νｄ：レンズ材料のアッベ数
各実施例において非球面の形状は、面の頂点を原点とし、光軸方向にＸ軸をとり、光軸と垂直方向の高さをｈとして以下の（数１）で表す。
【００６１】
【数１】
2007233130.tif 000003
【００６２】
ただし、
Ａｉ：ｉ次の非球面係数
Ｒ  ：曲率半径
Ｋ  ：円錐定数
また、以降（表のレンズデータを含む）において、１０のべき乗数（例えば、２．５×１０-02）をＥ（例えば２．５Ｅ−０２）を用いて表すものとする。また、レンズデータの面番号は第１レンズの物体側を１面として順に付与した。
【００６３】
実施例の撮像光学系のレンズデータを表１、表２に示す。
【００６４】
【表１】
2007233130.tif 000004
【００６５】
【表２】
2007233130.tif 000005
【００６６】
なお、面番号５が本発明に係る絞り部材２０の位置であり、面番号６が絞りシャッタユニット３３に備えられたＦナンバを規定する絞りの位置である。
【００６７】
図１０は、実施例に示した撮像光学系の断面図である。同図（ａ）は広角端を示し、同図（ｂ）は望遠端を示している。
【００６８】
同図に示す第１レンズ群１は表１に示した面番号１〜４に相当し、第２レンズ群２は面番号７〜１３に相当し、第３レンズ群３は面番号１４、１５に相当するものである。４は、光学的ローパスフィルター、ＩＲカットフィルター、固体撮像素子のシールガラス等の少なくともいずれか１つを想定した平行平板である。
【００６９】
図１１は、実施例に示した撮像光学系から絞り部材２０を取り除いた場合の、広角端での光線経路を示す図である。
【００７０】
即ち、図１０（ａ）に示す光線経路は、図１１に示す光線経路から撮像光学系光軸上の画像を形成する光束のうち最も外側の光線と、前記撮像光学系の最大像高位置の画像を形成する光束のうち最も外側の光線とが交差する位置のうち、像面側の交差位置の外側（光軸より遠い側）を通過する光束を、絞り部材２０によりカットしたものである。
【００７１】
図１２は、実施例に示す撮像光学系の広角端時のメリディオナルコマ収差を示す図である。同図（ａ）は開口径３．８ｍｍの絞り部材２０が配置された場合（図１０（ａ）参照）の像高２．５２ｍｍでのメリディオナルコマ収差を示し、同図（ｂ）は開口径３．８ｍｍの絞り部材２０が配置された場合の像高３．６ｍｍでのメリディオナルコマ収差を示している。
【００７２】
また、比較のために、同図（ｃ）に絞り部材２０が無い場合（図１１参照）の像高２．５２ｍｍでのメリディオナルコマ収差を示し、同図（ｄ）に絞り部材２０が無い場合の像高３．６ｍｍでのメリディオナルコマ収差を示してある。
【００７３】
同図に示したように、絞り部材２０を配置することにより、中間像高位置でのコマ収差が軽減されていることが判る。
【００７４】
図１３は、実施例に示した撮像光学系の望遠端時のメリディオナルコマ収差を示す図である。
【００７５】
図１４は、実施例に示した撮像光学系の広角端時の周辺光量比を示す図である。
【００７６】
以上説明したように、広角端時に撮像光学系光軸上の画像を形成する光束のうち最も外側の光線と、撮像光学系の最大像高位置の画像を形成する光束のうち最も外側の光線とが交差する位置のうち、Ｆナンバを規定する絞りに近い方の交差位置に、絞り部材を位置させることにより、中心部及び最周辺部の光量を充分に確保できると共に、中間像高部の画像を形成する光束のうち、上記交差位置より外側を通過する光束の一部を絞り部材によりカットすることで、広角時のコマ収差を軽減することができ、結像性能を向上させた撮像光学系及びレンズ鏡胴を得ることが可能となる。
【００７７】
なお、上記の説明では、絞り部材の開口部の径を撮像素子中心部の画像を形成する光束のうち最も外側の光線と、撮像素子の最も像高の高い位置の画像を形成する光束のうち最も外側の光線が交差する位置のうち、Ｆナンバを規定する絞りに近い方の交差位置の、光軸直交方向の高さに基づいて形成した例で説明したが、これに限るものでなく、中間像高部の画像を形成する光束のうち、所望の量だけカットするように形成しても良いのは勿論である。
【００７８】
また、沈胴可能なレンズ鏡胴を例に取り説明したが、沈胴を行わない固定長のレンズ鏡胴にも適用可能である。
【図面の簡単な説明】
【００７９】
【図１】本発明に係るレンズ鏡胴を搭載した撮像装置の例であるカメラを示す外観図である。
【図２】本実施の形態に係るレンズ鏡胴の広角端時の状態の概略縦断面図である。
【図３】本実施の形態に係るレンズ鏡胴の望遠端時の状態の概略縦断面図である。
【図４】本実施の形態に係るレンズ鏡胴の沈胴時の状態の概略縦断面図である。
【図５】本実施の形態に係るレンズ鏡胴の広角端時の絞り部材の開口部の位置及び開口径を示す断面図である。
【図６】図２〜図４に示したレンズ鏡胴の第１レンズ群、第２レンズ群、第３レンズ群及び絞り部材の各状態での位置関係を示す移動線図である。
【図７】本実施の形態に係るレンズ鏡胴のその他の例の広角端時の状態の概略縦断面図である。
【図８】図７に示したレンズ鏡胴の第１レンズ群、第２レンズ群、第３レンズ群及び絞り部材の各状態での位置関係を示す移動線図である。
【図９】本実施の形態に係る撮像光学系の別の例の広角端時の絞り部材の開口部の位置及び開口径を示す断面図である。
【図１０】実施例に示した撮像光学系の断面図である。
【図１１】実施例に示した撮像光学系から絞り部材を取り除いた場合の、広角端での光線経路を示す図である。
【図１２】実施例に示す撮像光学系の広角端時のメリディオナルコマ収差を示す図である。
【図１３】実施例に示した撮像光学系の望遠端時のメリディオナルコマ収差を示す図である。
【図１４】実施例に示した撮像光学系の広角端時の周辺光量比を示す図である。
【符号の説明】
【００８０】
１  第１レンズ群
２  第２レンズ群
３  第３レンズ群
４  光学フィルタ
５  撮像素子
６  第１レンズ群鏡枠
７  第２レンズ群鏡枠
８  第３レンズ群鏡枠
１１  固定胴
１２  地板
１３  プリント基板
１４  カム筒
１５  前筒
１７  直進移動部材
１８  直進案内板
２０  絞り部材
２１  駆動歯車
２２  長歯車
３３  絞りシャッタユニット
４１  フォーカスモータ
８０  レンズ鏡胴
【図１】
2007233130.tif 000006
【図２】
2007233130.tif 000007
【図３】
2007233130.tif 000008
【図４】
2007233130.tif 000009
【図５】
2007233130.tif 000010
【図６】
2007233130.tif 000011
【図７】
2007233130.tif 000012
【図８】
2007233130.tif 000013
【図９】
2007233130.tif 000014
【図１０】
2007233130.tif 000015
【図１１】
2007233130.tif 000016
【図１２】
2007233130.tif 000017
【図１３】
2007233130.tif 000018
【図１４】
2007233130.tif 000019